(57)【要約】【課題】位置に関する情報を発信する発信装置の通信に関するコストを軽減し得る発信装置、発信システム、及び発信方法を提供することを目的とする。【解決手段】  位置発信装置１０では、近距離無線通信部１１によってモジュール２０からＵＩＭ情報を近距離無線通信により受信し、位置情報取得部１２によって、位置発信装置１０の位置情報が取得され、移動体通信部１３によって、ＵＩＭ情報を用いて位置収集サーバ３０と移動体通信され、識別情報及び位置情報が送信される。このように、位置発信装置１０は、通信情報を用いた移動体通信により位置収集装置と通信するので、位置発信装置においてＳＩＭカードを装着したり、通信料金を負担したりする必要がなく、通信に関するコストを低減することができる。【選択図】図１
2016119533.tif 000002
【特許請求の範囲】
【請求項１】
自装置の位置を特定するための情報である位置特定情報を発信する発信装置であって、
近距離無線通信可能な装置である通信装置から、移動体通信網に接続するための情報である通信情報と、当該通信装置を識別するための情報である識別情報とを近距離無線通信により受信する情報受信手段と、
前記位置特定情報を取得する位置特定情報取得手段と、
前記情報受信手段により通信情報及び識別情報が受信されると、当該通信情報を用いた移動体通信により、位置特定情報を収集する位置収集装置と通信し、前記識別情報と前記位置特定情報取得手段により取得された位置特定情報とを前記位置収集装置へ送信する情報送信手段と、
を備える発信装置。
【請求項２】
前記情報受信手段は、前記通信装置のユーザの状態を示す情報である状態情報をさらに受信し、
前記情報送信手段は、前記情報受信手段により受信された状態情報を位置特定情報と共に送信する、請求項１に記載の発信装置。
【請求項３】
前記通信装置への指示を受信する指示受信手段と、
前記指示受信手段により受信した指示を前記通信装置へ要求する指示要求手段をさらに備える、請求項１又は２に記載の発信装置。
【請求項４】
前記位置特定情報取得手段は、前記位置特定情報として、前記発信装置の位置を示す情報である位置情報又は前記位置情報に紐づく情報を取得する、請求項１から３の何れか一項に記載の発信装置。
【請求項５】
自装置の位置を特定するための情報である位置特定情報を発信する発信装置と、近距離無線通信可能な装置である通信装置とを含む発信システムであって、
前記通信装置は、
移動体通信網に接続するための情報である通信情報、及び当該通信装置を識別するための情報である識別情報を保持する情報保持手段と、
前記発信装置との間で近距離無線通信を行うと共に、前記発信装置との近距離無線通信がなされたことを契機として、当該近距離無線通信により前記通信情報及び前記識別情報を前記発信装置へ送信する通信情報送信手段と、
を備え、
前記発信装置は、
前記通信装置から、前記通信情報と、前記識別情報とを近距離無線通信により受信する情報受信手段と、
前記位置特定情報を取得する位置特定情報取得手段と、
前記情報受信手段により通信情報及び識別情報が受信されると、当該通信情報を用いた移動体通信により、位置特定情報を収集する位置収集装置と通信し、前記識別情報と前記位置特定情報取得手段により取得された位置特定情報とを前記位置収集装置へ送信する情報送信手段と、
を備える、発信システム。
【請求項６】
自装置の位置を特定するための情報である位置特定情報を発信する発信装置で実行される発信方法であって、
近距離無線通信可能な装置である通信装置から、移動体通信網に接続するための情報である通信情報と、当該通信装置を識別するための情報である識別情報とを近距離無線通信により受信する情報受信ステップと、
前記位置特定情報を取得する位置特定情報取得ステップと、
前記情報受信ステップにより通信情報及び識別情報が受信されると、当該通信情報を用いた移動体通信により、位置特定情報を収集する位置収集装置と通信し、前記識別情報と前記位置特定情報取得ステップで取得された位置特定情報とを前記位置収集装置へ送信する情報送信ステップと、を含む発信方法。
【発明の詳細な説明】
【技術分野】
【０００１】
本発明は、発信装置、発信システム、及び発信方法に関する。
【背景技術】
【０００２】
徘徊者・迷子等の被監視者の位置を特定するシステムとして、情報タグと端末装置とサーバ装置とを含むシステムがある（例えば、特許文献１参照）。
【０００３】
特許文献１に記載のシステムでは、情報タグ（通信装置）と端末装置（例えば、各家庭に配置された端末装置）とが近距離無線通信により互いに情報の送受信を行うことができる。また、端末装置とサーバとが例えば、携帯電話網（移動体通信）により互いに情報の送受信を行うことができる。
【０００４】
具体的には、被監視者に情報タグを所持させておくことを前提とし、情報タグが、近距離無線通信により、近くに位置する端末装置と通信できるようになると、予め情報タグが記憶している情報タグの識別情報を近距離無線通信で端末装置へ送信する。端末装置は、近距離無線通信により情報タグの識別情報を受信すると、当該情報タグが端末装置付近に存在することを示す存在情報（例えば、端末装置が配置されている家を識別する情報等の位置に関する情報を含む情報）をサーバへ送信する。サーバは、存在情報を受信すると、存在情報を記憶する。このように、上記システムでは、サーバが被監視者の情報タグの位置を示す情報を記憶するので、サーバへ問い合わせれば、被監視者の存在位置を特定することができる。
【先行技術文献】
【特許文献】
【０００５】
【特許文献１】特開２００６−２９３５１９号公報
【発明の概要】
【発明が解決しようとする課題】
【０００６】
例えば、上記のような端末装置を多く分散して配置しておけば（例えば、学校、図書館等に配置する等）、何れかの端末装置が、被監視者の情報タグと近距離無線通信して、存在情報をサーバへ通知することになる。よって、被監視者が広い範囲を移動したとしても、サーバは、情報タグの位置（被監視者の位置）を記憶することができる。すなわち、被監視者が広範囲に移動したとしても、サーバが被監視者の位置を把握することができる。
【０００７】
また、特許文献１に記載の発明では、端末装置が、被監視者の情報タグの位置として、端末装置自身の位置を通知しているので、情報タグが測位手段を有していなくても、サーバは、情報タグの位置を記憶することができると考えられる。
【０００８】
ところで、特許文献１の一例に示されているように、端末装置とサーバとが、移動体通信により情報を送受信するようにすれば、互いに有線により通信接続する場合のように、端末装置の移動が制限されたり、また有線通信のための線路の敷設作業の負担がかかったりすることがない。
【０００９】
しかしながら、各端末装置が情報タグから識別情報を受信した場合に、各端末装置が上記存在情報をサーバへ移動体通信を送信するためには、各端末装置のユーザが通信料金を負担したり、端末装置に対するＳＩＭカードの装着（移動体通信のための装備）が必要となったりするなど、通信に関するコストがかかるおそれがある。従って、例えば、上述のように複数の端末装置を配置すると、サーバへの通知による通信に関するコストが著しく増大するという問題点がある。
【００１０】
上記の問題点を解決するために、位置に関する情報を発信する発信装置の通信に関するコストを軽減し得る発信装置、発信システム、及び発信方法を提供することを目的とする。
【課題を解決するための手段】
【００１１】
本発明に係る発信装置は、自装置の位置を特定するための情報である位置特定情報を発信する発信装置であって、近距離無線通信可能な装置である通信装置から、移動体通信網に接続するための情報である通信情報と、当該通信装置を識別するための情報である識別情報とを近距離無線通信により受信する情報受信手段と、位置特定情報を取得する位置特定情報取得手段と、情報受信手段により通信情報及び識別情報が受信されると、当該通信情報を用いた移動体通信により、位置特定情報を収集する位置収集装置と通信し、識別情報と位置特定情報取得手段により取得された位置特定情報とを前記位置収集装置へ送信する情報送信手段と、を備える。
【００１２】
本発明に係る発信方法は、自装置の位置を特定するための情報である位置特定情報を発信する発信装置で実行される発信方法であって、近距離無線通信可能な装置である通信装置から、移動体通信網に接続するための情報である通信情報と、当該通信装置を識別するための情報である識別情報とを近距離無線通信により受信する情報受信ステップと、位置特定情報を取得する位置特定情報取得ステップと、情報受信ステップにより通信情報及び識別情報が受信されると、当該通信情報を用いた移動体通信により、位置特定情報を収集する位置収集装置と通信し、識別情報と位置特定情報取得ステップで取得された位置特定情報とを位置収集装置へ送信する情報送信ステップと、を含む。
【００１３】
このような本発明に係る発信装置及び発信方法によれば、通信情報を用いた移動体通信により位置収集装置と通信するので、発信装置においてＳＩＭカードを装着したり、発信装置のユーザが通信料金を負担したりする必要がなく、通信に関するコストを低減することができる。
【００１４】
本発明に係る発信装置では、情報受信手段は、通信装置のユーザの状態を示す情報である状態情報をさらに受信し、情報送信手段は、情報受信手段により受信された状態情報を位置特定情報と共に送信してもよい。この発信装置によれば、通信装置から状態情報も受信し、当該状態情報を位置収集装置へ送信するので、通信装置のユーザの状態情報を位置収集装置へ提供することができる。
【００１５】
本発明に係る発信装置では、通信装置への指示を受信する指示受信手段と、指示受信手段により受信した指示を通信装置へ要求する指示要求手段をさらに備えてもよい。この発信装置によれば、通信装置が移動体通信できなくても、発信装置を介して通信装置へ指示をすることができる。
【００１６】
本発明に係る発信装置では、位置特定情報取得手段が、位置特定情報として、発信装置の位置を示す情報である位置情報又は位置情報に紐づく情報を取得してもよい。
【００１７】
本発明に係る発信システムでは、自装置の位置を特定するための情報である位置特定情報を発信する発信装置と、近距離無線通信可能な装置である通信装置とを含む発信システムであって、通信装置は、移動体通信網に接続するための情報である通信情報、及び当該通信装置を識別するための情報である識別情報を保持する情報保持手段と、発信装置との間で近距離無線通信を行うと共に、発信装置との近距離無線通信がなされたことを契機として、当該近距離無線通信により通信情報及び識別情報を発信装置へ送信する通信情報送信手段と、を備え、発信装置は、通信装置から、通信情報と、識別情報とを近距離無線通信により受信する情報受信手段と、位置特定情報を取得する位置特定情報取得手段と、情報受信手段により通信情報及び識別情報が受信されると、当該通信情報を用いた移動体通信により、位置特定情報を収集する位置収集装置と通信し、識別情報と位置特定情報取得手段により取得された位置特定情報とを位置収集装置へ送信する情報送信手段と、を備える。
【００１８】
本発明に係る発信システムによれば、通信装置が近距離無線通信により通信情報を発信装置へ送信し、発信装置が、通信情報を用いた移動体通信により位置収集装置と通信するので、発信装置においてＳＩＭカードを装着したり、発信装置のユーザが通信料金を負担したりする必要がなく、通信に関するコストを低減することができる。
【発明の効果】
【００１９】
本発明によれば、通信情報を用いた移動体通信により位置収集装置と通信するので、発信装置においてＳＩＭカードを装着したり、発信装置のユーザが通信料金を負担したりする必要がなく、通信に関するコストを低減することができる。
【図面の簡単な説明】
【００２０】
【図１】本発明の実施形態に係る位置収集システムのブロック図である。
【図２】モジュール２０の位置変更に応じて各位置発信装置１０が位置情報を送信することを説明する図である。
【図３】現在位置に関する情報の一例を示す図である。
【図４】位置発信装置１０のハードウェア構成を示す図である。
【図５】モジュール２０のハードウェア構成を示す図である。
【図６】位置収集システムによる処理のフローチャートである。
【発明を実施するための形態】
【００２１】
以下、添付図面を参照して、本発明の好適な実施形態について詳細に説明する。なお、図面の説明において同一又は相当要素には同一符号を付し、重複する説明は省略する。
【００２２】
図１に本発明の実施形態に係る位置発信システム１（発信システム）を示す。位置発信システム１は、位置発信装置１０（発信装置）と、モジュール２０（通信装置）と、位置収集サーバ３０（位置収集装置）とを含んで構成される。この位置発信システム１は、電話番号（モジュール２０が記憶している電話番号であって、モジュール２０のユーザの電話番号）を記憶するモジュール２０を所持したユーザの位置を管理するシステムである。具体的には、位置発信システム１では、モジュール２０が位置発信装置１０の近くに位置すると、位置発信装置１０が、近距離無線通信によりモジュール２０と通信して、モジュール２０の電話番号をモジュール２０の識別情報として受信し、当該電話番号と位置発信装置１０の位置情報（位置特定情報）とを移動体通信により位置収集サーバ３０へ送信する。位置収集サーバ３０が、位置発信装置１０から受信した電話番号と位置情報とを対応付けて記憶する。
【００２３】
例えば、上記移動体通信の事業者である通信事業者が、上記位置発信システム１を用いてモジュール２０のユーザの位置情報を提供するサービス（徘徊者・迷子の捜索サービス）を提供する。具体的には、当該サービスを契約した者（例えば、モジュール２０のユーザの保護者、第三者等）の端末装置は、位置収集サーバ３０に対して、捜索対象の電話番号と共に、当該電話番号に対応するユーザの位置情報の取得要求をする。これに応じて、位置収集サーバ３０は、当該電話番号に対応する位置情報を上記サービスを契約した者の端末装置へ送信する。これにより、上記サービスを契約した者は、徘徊者・迷子の位置を特定することができる。
【００２４】
位置発信装置１０は、通信手段（近距離無線通信のための通信手段及び移動体通信のための通信手段）を有する装置である。当該位置発信装置１０は、例えば、自動販売機に備え付けられている。当該自動販売機は、駅周辺、イベント会場、ショッピングセンター（建物の内部）等の各所に配置される。このように、自動販売機は、建物の内部、地上、地下の各所に分散して複数配置されている。位置発信装置１０は、各所に配置された自動販売機のそれぞれに備え付けられる。よって、位置発信装置１０は、自動販売機と同様に分散して複数配置されている。
【００２５】
位置発信装置１０は、モジュール２０と、例えば、Ｂｌｕｅｔｏｏｔｈ（登録商標）による近距離無線通信が可能であり、モジュール２０から移動体通信接続のための情報である通信情報（例えば、電話番号（加入者情報）を含むＵＩＭ（User Identity Module）情報）を受信する。なお、ＵＩＭ情報については、後述する。
【００２６】
なお、位置発信装置１０と位置収集サーバ３０とは移動体通信（具体的には例えば、３Ｇ、ＬＴＥ等の移動体通信）により互いに通信可能である。位置発信装置１０は、位置収集サーバ３０と移動体通信する場合、上記通信情報を用いて位置収集サーバ３０と移動体通信をする。位置発信装置１０は、位置発信装置１０の位置情報とモジュール２０の電話番号とを、移動体通信により位置収集サーバ３０へ送信する。このように、位置発信装置１０は、位置発信装置１０の位置（位置発信装置１０が備え付けられた自動販売機の位置）を特定するための情報である位置情報を発信する。
【００２７】
モジュール２０は、ユーザに携帯される小型デバイス（例えば、ポータブルＳＩＭ）として構成される。モジュール２０は、上述の通信情報であるＵＩＭ情報（ポータブルＳＩＭ情報）を記憶するＳＩＭカードを内蔵する。また、モジュール２０は、Ｂｌｕｅｔｏｏｔｈにより近距離無線通信可能である。また、モジュール２０は、電池を備え、電池により近距離無線通信処理等の各種処理を実行することができる。
【００２８】
モジュール２０は、例えば靴、サンダルの底部分等に内蔵されるデバイスとして構成されてもよい。また、モジュール２０は、例えば腕時計型、リストバンド型、ネックレス型等のユーザの人体に装着されるデバイスとして構成されてもよい。このように、モジュール２０は、ユーザの外出時の必需品に内蔵されていることが望ましい。ユーザの外出時の必需品にモジュール２０が内蔵されている場合、ユーザが外出する際に、当該ユーザが意識せずにモジュール２０がユーザに装着される。なお、モジュール２０は、ユーザの人体に装着されるデバイスでなくてもよく、携帯可能なデバイス（例えば、ユーザの衣服のポケットに入る程度の大きさのデバイス）であればよい。
【００２９】
モジュール２０は、当該モジュール２０と１対１で近距離無線通信により接続された位置発信装置１０に対して、ＳＩＭカードに記憶されたＵＩＭ情報を送信する。モジュール２０と近距離無線通信により接続された位置発信装置１０は、モジュール２０から受信したＵＩＭ情報を用いて、自機が備えている移動体通信機能を実行することにより、移動体通信を行うことができる。
【００３０】
また、モジュール２０は、電話番号を含むＵＩＭ情報を位置発信装置１０へ送信しているので、モジュール２０を識別するための情報（識別情報）となる電話番号も位置発信装置１０へ送信している。なお、モジュール２０のユーザを変更する場合、通信事業者の端末装置が、当該モジュール２０に対してＯＴＡ（Over the Air）により、加入者情報等の識別情報を書き換えることができる。
【００３１】
位置収集サーバ３０は、各位置発信装置１０から位置情報等を収集する装置である。具体的には、位置収集サーバ３０は、移動体通信により、位置発信装置１０から位置発信装置１０の位置情報と、モジュール２０の電話番号とを受信する。また、位置収集サーバ３０は、当該位置情報と電話番号とを対応付けて、データベース等に記憶する。このように、位置収集サーバ３０は、複数の位置発信装置１０から位置情報等を受信して、当該位置情報等をデータベースに記憶するので、センターＤＢ（データベース）として機能する。また、位置収集サーバ３０は、移動体通信網等を介して、他の装置（通信事業者の端末装置、通信事業者のサービスの提供を受ける端末装置等）と情報を送受信できる。
【００３２】
続いて、位置発信装置１０、モジュール２０、及び位置収集サーバ３０の機能の詳細を説明する。最初に位置発信装置１０の説明をする。位置発信装置１０は、近距離無線通信部１１（情報受信手段、指示要求手段）、位置情報取得部１２（位置特定情報取得手段）、及び移動体通信部１３（情報送信手段、指示受信手段）を含んで構成されている。
【００３３】
近距離無線通信部１１は、モジュール２０から、移動体通信網に接続するための情報である通信情報と、当該モジュール２０を識別するための情報である識別情報とを近距離無線通信により受信する部分である。具体的には、モジュール２０とＢｌｕｅｔｏｏｔｈによる近距離無線通信をする。近距離無線通信部１１は、所定間隔で周囲に通信可能な装置を、周知技術を用いて検知することにより、ユーザによりモジュール２０が近づけられたことを検知する。
【００３４】
近距離無線通信部１１は、モジュール２０が近づけられたことを検知すると、Ｂｌｕｅｔｏｏｔｈによりモジュール２０と互いに近距離無線通信を行う。すなわち、公知技術により、近距離無線通信部１１と後述する近距離無線通信部２１とが自動的に近距離無線通信により接続された状態（自動ペアリングした状態）になる。なお、Ｂｌｕｅｔｏｏｔｈに限らず、他の方法（例えば、ＮＦＣを用いた方法）により近距離無線通信するようにしてもよい。
【００３５】
近距離無線通信部１１は、近距離無線通信部１１と近距離無線通信部２１とが近距離無線通信により接続された状態になると、モジュール２０からＵＩＭ情報を受信し、当該ＵＩＭ情報を移動体通信部１３へ送出する。ここでＵＩＭ情報とは、移動体通信網を運用する通信事業者が、回線契約を結んだ契約者（ここでは、例えば、上述したモジュール２０のユーザの位置情報を提供するサービスを契約した者）に対して発行される番号（例えば、ＩＭＳＩ（International Mobile Subscriber Identity））が含まれる。ＩＭＳＩを用いて、移動体通信を行うと、当該ＩＭＳＩの発行を受けた契約者が通信料金を負担することになる。
【００３６】
なお、近距離無線通信部１１は、所定間隔（例えば、移動体通信の仕様に基づく間隔）で、ＵＩＭ情報を位置発信装置１０から受信し、これに応じて、ＵＩＭ情報を移動体通信部１３へ送出する。近距離無線通信部１１が、近距離無線通信部２１と近距離無線通信により接続された状態であれば、モジュール２０からＵＩＭ情報を受信することができるので、後述する移動体通信部１３が当該ＵＩＭ情報を用いて、位置収集サーバ３０と移動体通信を行うことができる。一方、近距離無線通信部１１が、近距離無線通信部２１と近距離無線通信により接続された状態が解除（近距離無線通信による接続が切断）されると、モジュール２０からＵＩＭ情報を受信することができないので、移動体通信部１３が当該ＵＩＭ情報を用いて、位置収集サーバ３０と移動体通信を行うことができなくなる。
【００３７】
また、近距離無線通信部１１は、モジュール２０から当該ＵＩＭ情報以外に、モジュール２０から他の情報（例えば、心拍数や歩行数等のモジュール２０のユーザの状態を示す情報である状態情報）を受信するようにしてもよい。この場合、近距離無線通信部１１は、ＵＩＭ情報と共に、上記のユーザの状態情報も移動体通信部１３へ送出するようにしてもよい。
【００３８】
また、近距離無線通信部１１は、モジュール２０を検知すると、位置情報取得部１２へ位置情報の取得要求をする。これに応じて、位置情報取得部１２は、移動体通信部１３へ位置情報を送出する。
【００３９】
また、近距離無線通信部１１は、後述する移動体通信部１３が、位置収集サーバ３０からモジュール２０への指示を受信した場合、当該指示の要求をモジュール２０へ行う。
【００４０】
位置情報取得部１２は、位置発信装置１０の位置情報を取得する部分である。具体的に、位置情報取得部１２は、位置発信装置１０が予め記憶している位置発信装置１０の位置情報を取得し、移動体通信部１３へ送出する。ここで位置情報とは、位置発信装置１０の位置を示す情報であり、より具体的には、当該位置発信装置１０を備え付けている自動販売機の緯度経度を示す情報、地番を示す情報などである。
【００４１】
なお、位置情報取得部１２は、予め位置情報取得部１２が記憶している必要はなく、ＧＰＳ（Global  Positioning  System）受信機等を備え、当該ＧＰＳ受信機を用いた公知の測位方法により位置発信装置１０の位置を取得するようにしてもよい。
【００４２】
移動体通信部１３は、近距離無線通信部１１によりＵＩＭ情報が受信されると、当該ＵＩＭ情報を用いて、移動体通信網に接続して、位置収集サーバ３０と通信（すなわち、近距離無線通信とは異なる通信）を行い、位置情報取得部１２により取得された位置情報と、モジュール２０から受信したＵＩＭ情報に含まれる電話番号とを位置収集サーバ３０へ送信する部分である。移動体通信部１３は、所定間隔でＵＩＭ情報を受信し、当該ＵＩＭ情報を受信している間（即ち、位置発信装置１０とモジュール２０とが近距離無線通信によって接続されている間）は、移動体通信をすることができる。移動体通信部１３は、モジュール２０から受信したＵＩＭ情報を用いて移動体通信をするので、モジュール２０に記憶されているＩＭＳＩを用いて通信することになる。
【００４３】
位置発信装置１０とモジュール２０とは、近距離無線通信により近づいたことを検知しているので、位置発信装置１０の位置が、モジュール２０の位置あるいはモジュール２０の近傍の位置とみなすことができる。よって、位置発信装置１０は、モジュール２０が位置発信装置１０に近づいた場合に、自装置の位置情報をモジュール２０の位置として位置収集サーバ３０へ送信することができる。この結果、モジュール２０自身が位置情報の取得手段（例えば、測位手段）を有していなくても、位置発信装置１０によって、位置収集サーバ３０へモジュール２０の位置情報を送信することができる。
【００４４】
また、移動体通信部１３は、近距離無線通信部１１がＵＩＭ情報以外に、さらにユーザの状態情報を受信している場合、当該ユーザの状態情報を位置情報と共に位置収集サーバ３０へ送信する。
【００４５】
また、移動体通信部１３は、位置発信装置１０と位置収集サーバ３０とが移動体通信により接続している際に、位置収集サーバ３０からモジュール２０への指示を受信するようにしてもよい。この場合、移動体通信部１３は、当該指示を近距離無線通信部１１へ送信する。これに応じて、近距離無線通信部１１は、当該指示をモジュール２０へ送信する。このように、位置発信システム１は、位置発信装置１０を介して、位置収集サーバ３０からモジュール２０に対して指示をすることができる。すなわち、位置収集サーバ３０からモジュール２０へプッシュ通信することができる。
【００４６】
位置収集サーバ３０から受信する指示の例として、ブザーを鳴動させることを意味する指示であるブザーの鳴動指示、モジュール２０の利用停止（例えば、モジュール２０が保持する情報の送信禁止）を意味する利用停止指示がある。ブザーの鳴動指示には、ブザーを鳴動させるだけでなく、鳴動時のメッセージ（例えば、「捜索中の徘徊者です。周囲の方はお近くの交番へと届出をお願いします！」等）も含めるようにしてもよい。
【００４７】
続いて、モジュール２０は、近距離無線通信部２１（通信情報送信手段）、情報保持部２２（情報保持手段）、及び指示実行部２３を含んで構成されている。近距離無線通信部２１は、位置発信装置１０との間で近距離無線通信を行うと共に、位置発信装置１０との近距離無線通信がなされたことを契機として、当該近距離無線通信によりＵＩＭ情報を位置発信装置１０へ送信する部分である。
【００４８】
具体的には、近距離無線通信部２１は、モジュール２０が位置発信装置１０の近くに位置する場合（例えば、モジュール２０と位置発信装置１０との距離が１ｍ程度）、位置発信装置１０の近距離無線通信部１１がモジュール２０を検知して、これに応じて近距離無線通信部２１は、位置発信装置１０との間で近距離無線通信を行う。近距離無線通信部２１と近距離無線通信部１１とは、Ｂｌｕｅｔｏｏｔｈで接続する。なお、この接続方法は、公知技術を適用することにより、実現可能である。上述のように、近距離無線通信部１１がモジュール２０を検知するので、モジュール２０の近距離無線通信部２１が検知処理をする必要がない。この場合、近距離無線通信部２１の処理負担を軽減させることができる。なお、近距離無線通信部２１が、位置発信装置１０の検知処理をするようにしてもよい。
【００４９】
近距離無線通信部２１と、位置発信装置１０の近距離無線通信部１１とがＢｌｕｅｔｏｏｔｈで接続している場合、近距離無線通信部２１は、所定間隔（例えば、移動体通信の仕様に基づく間隔）で、情報保持部２２が保持するＵＩＭ情報を位置発信装置１０へ送信する。このように、近距離無線通信部２１が、所定間隔でＵＩＭ情報を送信し続けることにより、位置発信装置１０は、当該ＵＩＭ情報を用いて位置収集サーバ３０と移動体通信することができる。このように、近距離無線通信部２１は、位置発信装置１０との近距離無線通信がなされたことを契機として、当該近距離無線通信によりＵＩＭ情報を位置発信装置１０へ送信する。
【００５０】
また、近距離無線通信部２１は、モジュール２０のユーザが、近距離無線通信可能な心拍計・歩数計等のセンサを装着している場合、当該心拍計・歩数計から心拍数・歩数を示す情報である状態情報を、例えば、数分毎等に受信する。近距離無線通信部２１は、ＵＩＭ情報を位置発信装置１０へ送信するタイミングにおいて、受信した状態情報の内、最新の状態情報を位置発信装置１０へ送信する。なお、モジュール２０は、心拍数、歩数等を検出するセンサを備えてもよい。この場合、当該センサによる検出した結果である状態情報を後述する情報保持部２２に保持しておき、近距離無線通信部２１は、ＵＩＭ情報を位置発信装置１０へ送信するタイミングにおいて、情報保持部２２で記憶している状態情報の内、最新の状態情報を位置発信装置１０へ送信する。
【００５１】
また、近距離無線通信部２１は、位置発信装置１０との間で近距離無線通信による接続が確立されている間に位置発信装置１０から指示を受信すると、当該指示を指示実行部２３へ送信する。指示実行部２３の詳細は、後述する。
【００５２】
情報保持部２２は、ＵＩＭ情報を保持する部分であり、具体的には、ＳＩＭカードにより実現する。近距離無線通信部２１からＵＩＭ情報の取得要求を受信すると、これに応じてＵＩＭ情報を近距離無線通信部２１へ送出する。
【００５３】
指示実行部２３は、近距離無線通信部２１が位置発信装置１０から受信した指示を実行する部分である。例えば、指示実行部２３は、位置発信装置１０からブザーの鳴動指示を受信すると、近距離無線通信部２１を介して、モジュール２０のユーザが身につけているブザーと近距離無線通信し、当該ブザーへ鳴動指示する。
【００５４】
また、指示実行部２３は、位置発信装置１０から停止指示を受信した場合、ＳＩＭカード内の情報（ＵＩＭ情報）の送信を不可にする。例えば、モジュール２０の本来のユーザからのモジュール２０の紛失連絡等を、通信事業者の端末が受け付けて、通信事業者の端末が、位置収集サーバ３０に対して停止指示をする。これに応じて、位置収集サーバ３０が位置発信装置１０に対して、停止指示をすれば、位置発信装置１０がモジュール２０と近距離無線通信可能な状態時にモジュール２０へ停止指示を送信するので、紛失時にモジュール２０の利用停止が可能となる。
【００５５】
続いて、位置収集サーバ３０の説明をする。位置収集サーバ３０は、位置発信装置１０、外部装置（例えば、通信事業者の端末装置等）と移動体通信をする。
【００５６】
位置収集サーバ３０は、位置発信装置１０から位置情報と電話番号とを受信すると、当該位置発信装置１０の位置情報、モジュール２０の電話番号、及び受信時刻とを対応付けてデータベースへ記憶・登録をする。
【００５７】
また、位置収集サーバ３０は、通信事業者の端末装置等からモジュール２０の停止指示等、各種指示を受信する。また、位置収集サーバ３０は、位置発信装置１０から受信したモジュール２０の電話番号を参照して、指示対象のモジュール２０と当該位置発信装置１０とが近距離無線通信していると判断した場合、当該指示を位置発信装置１０へ送信する。
【００５８】
また、位置収集サーバ３０は、通信事業者と位置情報を提供するサービスを契約している者の端末装置から、捜索対象の徘徊者・迷子の電話番号を受信すると共に、当該電話番号に対応するユーザの現在位置に関する情報の取得要求を受け付ける。位置収集サーバ３０は、これに応じて、取得要求した端末装置へ、受信した電話番号に対応する位置情報の内、最も直近に記憶した位置情報（現在位置情報）を現在位置に関する情報として送信する。このように、取得要求した端末装置は、位置収集サーバ３０から徘徊者・迷子の位置情報を遠隔取得することにより、徘徊者・迷子の位置を特定することができる。
【００５９】
上述のように、位置収集サーバ３０は、各位置発信装置１０から、位置発信装置１０の位置情報、モジュール２０の電話番号を受信すると、逐次当該位置情報、電話番号、及び受信時刻を対応付けた情報を記憶する。
【００６０】
図２に複数の位置発信装置１０が位置収集サーバ３０へ逐次モジュール２０の電話番号と位置発信装置１０の位置情報を送信する例を示す。位置発信装置１０Ａ、位置発信装置１０Ｂ、及び位置発信装置１０Ｃが道路付近に配置された複数の自動販売機に別々に配置されている場合に、位置発信装置１０Ａ付近に位置しているモジュール２０を所持したユーザが、位置発信装置１０Ｂ、位置発信装置１０Ｃの順に移動するものとする。
【００６１】
この場合、まず、位置発信装置１０Ａが、モジュール２０と近距離無線通信し、モジュール２０が保持しているＵＩＭ情報を用いて、位置収集サーバ３０と移動体通信して、位置発信装置１０Ａの位置情報と、モジュール２０の電話番号とを位置収集サーバ３０へ送信する。
【００６２】
続いて、モジュール２０が位置発信装置１０Ｂ付近に位置した場合に、位置発信装置１０Ｂが、上述の位置発信装置１０Ａと同様に、位置発信装置１０Ｂの位置情報と、モジュール２０の電話番号とを位置収集サーバ３０へ送信する。さらに、モジュール２０が位置発信装置１０Ｃの付近に位置した場合には、上述の位置発信装置１０Ａ等と同様に、位置発信装置１０Ｃの位置情報と、モジュール２０の電話番号とを位置収集サーバ３０へ送信する。
【００６３】
この結果、位置収集サーバ３０は、モジュール２０の電話番号と、位置発信装置１０Ａの位置情報と、当該位置発信装置１０Ａの位置情報を受信した時刻とが対応付いた情報を最初に記憶する。次に、位置収集サーバ３０は、モジュール２０の電話番号と、位置発信装置１０Ｂの位置情報と、当該位置発信装置１０Ｂの位置情報を受信した時刻とが対応付いた情報を記憶する。さらに、位置収集サーバ３０は、モジュール２０の電話番号と、位置発信装置１０Ｃの位置情報と、当該位置発信装置１０Ｃの位置情報を受信した時刻とが対応付いた情報を記憶する。
【００６４】
なお、位置収集サーバ３０は、あるユーザの現在位置の取得要求を受け付けた場合に、現在位置に関する情報として、緯度経度等の位置情報のみならず、地図情報も含めた情報（例えば、地図画面情報）を送信するようにしてもよい。
【００６５】
例えば、図３に示すように、位置収集サーバ３０は、現在位置周辺を示す地図情報上に、現在位置を示す、現在位置マーク５０と、位置発信装置１０Ａ、位置発信装置１０Ｂ、及び位置発信装置１０Ｃを示す画像とを重畳させた情報を、現在位置に関する情報として生成し、当該現在位置に関する情報を取得要求した端末装置へ送信してもよい。図３に示した例では、徘徊者が位置発信装置１０Ｂ周辺に現在位置していることを示している。
【００６６】
（ハードウェア構成図の説明）
続いて、位置発信装置１０及びモジュール２０のハードウェア構成図の説明をする。まず、位置発信装置１０のハードウェア構成図を説明する。図４に示すように、位置発信装置１０は、１又は複数のＣＰＵ１０１、主記憶装置であるＲＡＭ１０２及びＲＯＭ１０３、ＮＦＣやＢＬＥ等の近距離無線通信用の通信モジュールである近距離無線通信モジュール１０４、位置収集サーバ３０と通信するためのモジュールであり、ネットワークカード等のデータ送受信デバイスであるサーバ通信モジュール１０５、半導体メモリ等の補助記憶装置１０６などを含むコンピュータシステムとして構成されている。位置発信装置１０は、図４に示すＣＰＵ１０１、ＲＡＭ１０２等のハードウェア上に所定のコンピュータソフトウェアを読み込ませることにより、ＣＰＵ１０１の制御のもとで、近距離無線通信モジュール１０４、サーバ通信モジュール１０５を動作させるとともに、ＲＡＭ１０２や補助記憶装置１０６におけるデータの読み出し及び書き込みを行うことで実現される。
【００６７】
続いて、モジュール２０のハードウェア構成図の説明をする。モジュール２０は、図５に示すように、主なハードウェア構成として、ＭＣＵ（Micro Control Unit）２０１と、ＳＩＭカード２０２と、上述の近距離無線通信を行うためのハードウェア部品からなる通信部２０３とを備える。また、モジュール２０は、上記のハードウェア以外のハードウェア要素を備えていてもよい。
【００６８】
本実施形態では、モジュール２０には、上述したＳＩＭカード等のハードウェアが内蔵されている。図１に示したモジュール２０の各機能は、ＭＣＵ２０１の制御の下でＳＩＭカード２０２等に所定のプログラムが読み込まれ、ＭＣＵ２０１が当該所定のプログラムを実行すると共に通信部２０３を動作させることによって実現される。なお、位置収集サーバ３０は、ＣＰＵ、ＲＡＭ等のハードウェアを備えており、それらのハードウェア上に所定のコンピュータソフトウェアを読み込ませることにより、ＣＰＵの制御のもとで、移動体通信可能な通信モジュールを動作させるとともに、ＲＡＭや補助記憶装置におけるデータの読み出し及び書き込みを行うことで実現される。
【００６９】
続いて、図６のフローチャートを用いて、本実施形態に係る位置発信システム１で実行される処理及び動作（位置発信システム１又は位置発信装置１０による発信方法）を説明する。図６に記載のフローチャートは、モジュール２０が位置発信装置１０に近づいたときに、位置発信装置１０の位置情報とモジュール２０の電話番号とを位置収集サーバ３０へ送信する処理を示す図である。
【００７０】
まず、モジュール２０が位置発信装置１０に近づくと、モジュール２０の近距離無線通信部２１が位置発信装置１０の近距離無線通信部１１との間で近距離無線通信を行い、モジュール２０と位置発信装置１０との間で近距離無線通信による接続が確立される（ステップＳ１）。
【００７１】
続いて、近距離無線通信部２１は、位置発信装置１０との近距離無線通信がなされたことを契機として、情報保持部２２が保持するＵＩＭ情報を位置発信装置１０へ送信し、位置発信装置１０の近距離無線通信部１１は、ＵＩＭ情報を受信する（ステップＳ２  通信装置送信ステップ、情報受信ステップ）。
【００７２】
また、位置情報取得部１２は、位置発信装置１０の位置情報を取得する（ステップＳ３  位置特定情報取得ステップ）。続いて、移動体通信部１３は、ＵＩＭ情報を用いて移動体通信網に接続をして（ステップＳ４  情報送信ステップ）、移動体通信網を介して、位置収集サーバ３０に、位置情報と、電話番号とを位置収集サーバ３０へ送信し（ステップＳ５  情報送信ステップ）、処理を終了する。位置収集サーバ３０では、当該情報が受信されて記憶される。
【００７３】
以上述べた本実施形態に係る位置発信装置１０では、近距離無線通信部１１によってモジュール２０から電話番号を含むＵＩＭ情報を近距離無線通信により受信し、位置情報取得部１２によって、位置発信装置１０の位置情報が取得され、移動体通信部１３によって、ＵＩＭ情報を用いて位置収集サーバ３０と移動体通信され、電話番号及び位置情報が送信される。
【００７４】
このように、位置発信装置１０は、通信情報を用いた移動体通信により位置収集装置と通信するので、位置発信装置においてＳＩＭカードを装着したり、位置発信装置１０の設置者（例えば、上述したモジュール２０のユーザの位置情報を提供するサービスを提供する者）が通信料金を負担したりする必要がなく（例えば、サービスを契約した者へ通信料金を負担させることが可能）、通信に関するコストを低減することができる。また、位置発信装置１０自身が、位置情報を取得しているので、モジュール２０が位置情報を取得する必要がない。従って、モジュール２０が位置情報の取得処理により電池を消費する必要が無い。さらに、モジュール２０が、ＧＰＳ受信機等により測位しないので、位置発信装置１０は、モジュール２０の位置が建物、地下でも正確な位置情報を発信することができる。
【００７５】
また、位置発信装置１０は、近距離無線通信部１１によって、心拍数等のユーザの状態を示す情報である状態情報がさらに受信され、移動体通信部１３によって、位置情報と共に状態情報が送信される。この位置発信装置１０によれば、モジュール２０から状態情報も受信し、当該状態情報を位置収集サーバ３０へ送信するので、モジュール２０のユーザの状態を示す情報を位置収集装置へ提供することができる。すなわち、位置発信装置１０は、識別情報と位置情報以上の情報を位置収集サーバ３０へ送信することができる。また、モジュール２０は、近距離無線通信により、心拍計・歩数計等のセンサから心拍数・歩数等の情報を受信することにより、上記センサのハブとして機能する。
【００７６】
また、位置発信装置１０では、移動体通信部１３によって、モジュール２０への指示を受信され、近距離無線通信部１１によって、当該指示をモジュール２０へ要求される。この位置発信装置１０によれば、モジュール２０が移動体通信できなくても、位置発信装置１０を介してモジュール２０へ指示をすることができる。
【００７７】
上述のように、位置発信装置１０は、位置収集サーバ３０から受信したブザーの鳴動指示を受信した場合、当該ブザーの鳴動指示をモジュール２０へ要求する。この場合、モジュール２０は、当該要求に応じて、モジュール２０から近距離無線通信可能なブザー（すなわち、モジュール２０のユーザが身につけているブザー）に対して、鳴動指示を実行する。この結果、ブザーが鳴り響くので、ユーザ周囲の人に当該ブザーを身につけている人が、徘徊者・迷子であることを通知することができる。
【００７８】
徘徊者・迷子の特徴等を地域の域内放送で報知する場合、当該域内放送を聞いており、且つ徘徊者・迷子の特徴を覚えている人でないと、徘徊者・迷子を特定することができない。しかし、上述のように、徘徊者・迷子が身につけているブザーを鳴らせば、域内放送を聞いていなくても、徘徊者・迷子の周囲の人は容易に徘徊者・迷子を特定することができる。
【００７９】
なお、上述の実施形態では、位置発信装置１０が、自動販売機に設けられる場合について述べたが、改札機等、他の種々の装置に設けられていてもよい。
【００８０】
また、上述の実施形態では、位置発信システム１は、位置発信装置１０と、モジュール２０と、位置収集サーバ３０を含んで構成する場合について述べたが、位置発信装置１０とモジュール２０を少なくとも含んでいればよい。この場合、位置発信装置１０は、移動体通信により、位置発信システム１とは異なる外部装置（例えば、サーバ装置）に対して位置情報及び識別情報（電話番号等）を送信する。
【００８１】
なお、上述の実施形態では、近距離無線通信部２１が、通信情報と識別情報とが一体となっているＵＩＭ情報を送信し、近距離無線通信部１１が、当該ＵＩＭ情報を受信する場合について述べたが、近距離無線通信部２１が、通信情報と識別情報とを別々に送信し、近距離無線通信部１１が、当該通信情報と識別情報とを受信するようにしてもよい。
【００８２】
なお、上述の実施形態では、位置情報取得部１２が、位置特定情報として、自装置の位置情報を取得する場合について述べたが、位置特定情報として、位置情報に紐づく情報を取得するようにしてもよい。例えば、予め位置収集サーバ３０が、各位置発信装置１０の位置情報と、各位置発信装置１０の識別情報（例えば、各位置発信装置１０に定義され、且つ当該位置発信装置１０が保持するＩＤ等）とを関連付けて保持している場合（すなわち、位置発信装置１０の位置情報に位置発信装置１０の識別情報が紐づいている場合）には、位置情報取得部１２が、位置特定情報として、位置発信装置１０の識別情報を取得し、移動体通信部１３が、当該位置発信装置１０の識別情報を位置収集サーバ３０へ送信するようにしてもよい。
【００８３】
この場合、位置収集サーバ３０は、各位置発信装置１０の位置情報と、各位置発信装置１０の識別情報とを関連付けて保持しているので、位置発信装置１０から受信した各位置発信装置１０の識別情報に基づいて、当該位置発信装置１０の識別情報に対応する位置発信装置１０の位置情報を特定することができる。
【符号の説明】
【００８４】
１…位置発信システム、１０…位置発信装置、１１…近距離無線通信部、１２…位置情報取得部、１３…移動体通信部、２０…モジュール、２１…近距離無線通信部、２２…情報保持部、２３…指示実行部、３０…位置収集サーバ、５０…現在位置マーク、１０１…ＣＰＵ、１０２…ＲＡＭ、１０３…ＲＯＭ、１０４…近距離無線通信モジュール、１０５…サーバ通信モジュール、１０６…補助記憶装置、２０１…ＭＣＵ、２０２…ＳＩＭカード、２０３…通信部。
【図１】
2016119533.tif 000003
【図２】
2016119533.tif 000004
【図３】
2016119533.tif 000005
【図４】
2016119533.tif 000006
【図５】
2016119533.tif 000007
【図６】
2016119533.tif 000008